(57)【要約】【課題】軸受台とすべり軸受部との嵌合部分を平面とすることができて寸法測定、寸法管理精度が向上し、また、粉塵等が空気中を舞うような悪環境でも使用することができるすべり軸受を提供する。【解決手段】軸受台１に上方に開口する軸受嵌入凹部１１を形成し、軸Ｓが挿通される受け部２１を形成したすべり軸受部２を前記軸受嵌入凹部１１に嵌入すると共に、前記軸受嵌入凹部１１に嵌入されたすべり軸受部２を蓋部３にて上方より固定するすべり軸受である。軸受嵌入凹部１１及びすべり軸受部２を軸方向視において多角形状に形成した。【選択図】　　　　図１
2004028148.tif 000002
【特許請求の範囲】
【請求項１】
軸受台に上方に開口する軸受嵌入凹部を形成し、軸が挿通される受け部を形成したすべり軸受部を前記軸受嵌入凹部に嵌入すると共に、前記軸受嵌入凹部に嵌入されたすべり軸受部を蓋部にて上方より固定するすべり軸受において、軸受嵌入凹部及びすべり軸受部を軸方向視において多角形状に形成して成ることを特徴とするすべり軸受。
【請求項２】
すべり軸受部の上端部に蓋部にて下方に圧接される突起部を平面視において軸を避けた位置に設けて成ることを特徴とする請求項１記載のすべり軸受。
【請求項３】
突起部を線状に略平行に複数条設けて成ることを特徴とする請求項２記載のすべり軸受。
【請求項４】
すべり軸受部の受け部の軸方向両側端部に全周に亘って側方に開口する凹部を形成し、前記凹部に軸と密着する防塵用フィルムを設けて成ることを特徴とする請求項１乃至３のいずれかに記載のすべり軸受。
【発明の詳細な説明】
【０００１】
【発明の属する技術分野】
本発明は、軸受台に上方に開口する軸受嵌入凹部を形成し、軸が挿通される受け部を形成したすべり軸受部を前記軸受嵌入凹部に嵌入すると共に、前記軸受嵌入凹部に嵌入されたすべり軸受部を蓋部にて上方より固定するすべり軸受に関するものである。
【０００２】
【従来の技術】
従来より、すべり軸受部を形成するのに、軸受台に軸受嵌入凹部を形成し、この軸受嵌入凹部に軸が挿通される受け部を形成したすべり軸受部を嵌入するすべり軸受が用いられている。
【０００３】
これは、図５に示すように、すべり軸受部２’を支持する軸受台１’に軸受嵌入凹部１１’を形成し、中央に受け部２１が形成されたすべり軸受部２’を軸受嵌入凹部１１’に嵌入するものである。
【０００４】
この従来のすべり軸受にあっては、軸受台１’に形成する軸受嵌入凹部１１’及びすべり軸受部２’は軸方向視において円状となるように機械加工にて形成するものであるため、軸受台１’とすべり軸受部２’との嵌合部分が曲面となって寸法測定がし難く且つ細かい寸法精度が必要となって寸法管理が困難なものであった。
【０００５】
また、すべり軸受は転がり軸受に比べ安価であるが、軸と受け部間に隙間があって粉塵等の異物が混入して回転効率が悪くなるため、粉塵が空気中を舞うような悪環境では使用出来ないものであった。
【０００６】
【発明が解決しようとする課題】
本発明はこのような点に鑑みてなされたものであり、その目的とするところは、軸受台とすべり軸受部との嵌合部分を平面とすることができて寸法測定、寸法管理精度が向上し、また、粉塵等が空気中を舞うような悪環境でも使用することができるすべり軸受を提供することを課題とするものである。
【０００７】
【課題を解決するための手段】
上記課題を解決するために本発明に係るすべり軸受は、軸受台１に上方に開口する軸受嵌入凹部１１を形成し、軸Ｓが挿通される受け部２１を形成したすべり軸受部２を前記軸受嵌入凹部１１に嵌入すると共に、前記軸受嵌入凹部１１に嵌入されたすべり軸受部２を蓋部３にて上方より固定するすべり軸受において、軸受嵌入凹部１１及びすべり軸受部２を軸方向視において多角形状に形成して成ることを特徴とするものである。このような構成とすることで、軸受台１とすべり軸受部２との嵌合部（即ちすべり軸受部２の外面及び軸受台１の軸受嵌入凹部１１の内面）を曲面ではなく平面とすることができて、寸法測定及び寸法管理精度が向上するものである。
【０００８】
また、すべり軸受部２の上端部に蓋部３にて下方に圧接される突起部４を平面視において軸Ｓを避けた位置に設けることが好ましい。このような構成とすることで、軸受台１と蓋部３とですべり軸受部２を確実に強固に挟持固定することができる。
【０００９】
また、突起部４を線状に略平行に複数条設けることが好ましい。このような構成とすることで、受け部２１の変形を低減することができて軸Ｓの回転効率の低下を防止できると共に、左右両側に挟持固定力が得られるため安定して固定することが可能となる。
【００１０】
また、すべり軸受部の受け部の軸方向両側端部に全周に亘って側方に開口する凹部を形成し、前記凹部に軸と密着する防塵用フィルムを設けることが好ましい。このような構成とすることで、すべり軸受の受け部２１に異物が混入することがなくなり、長期にわたって安定して軸Ｓを保持することが可能となる。
【００１１】
【発明の実施の形態】
以下、本発明を添付図面に示す実施形態に基づいて説明する。
【００１２】
すべり軸受は、図１に示すように、軸受台１に軸受嵌入凹部１１を上方に開口するように形成し、前記軸受嵌入凹部１１に軸Ｓが挿通される受け部２１を形成したすべり軸受部２を上方より嵌入し、すべり軸受部２を下方へ圧接するように蓋部３を軸受台１に固定して構成される。
【００１３】
軸受台１は、図１に示すように、軸方向に所定の厚みを有する壁状に形成されるアルミダイカスト製のものである。軸受台１の上端面１ａは略水平面に形成されると共に、軸受台１には軸方向に貫通して且つ上方に開口する軸受嵌入凹部１１が形成される。軸受嵌入凹部１１は、軸方向視において上方へいく程左右幅が若干幅広となる台形状に形成される。また、この軸受嵌入凹部１１には、軸方向の一側端縁に内フランジ状をした位置決め部１２が形成してあり、軸受嵌入凹部１１に嵌入されるすべり軸受部２が位置決めされる。
【００１４】
すべり軸受部２は、ＰＰＳを主成分とする合成樹脂製のもので、外殻形状が上記軸受嵌入凹部１１とほぼ同形状をしたものである。更に詳述すると、すべり軸受部２の軸方向視における形状は、軸受嵌入凹部１１の軸方向視における形状をほぼ同じで、上下高さは同じかあるいは軸受嵌入凹部１１の上下高さより若干低く、軸受嵌入凹部１１に嵌入された際にすべり軸受部２の上端面２ａが軸受台１の上端面１ａと面一となるか若干低く位置する。また、すべり軸受部２の軸方向の厚みは、上述した軸受台１の位置決め部１２を形成していない側の側端面１ｂと位置決め部１２の内側端面１２ａとの間の距離とほぼ等しく形成してあり、すべり軸受部２を軸受嵌入凹部１１に嵌入して位置決め部１２に当接して位置決めされたすべり軸受部２の外側端面２ｂが軸受台１の上記側端面１ｂとほぼ面一となるものである。
【００１５】
すべり軸受部２には、内部に軸Ｓが挿通されてこの軸Ｓを支持する受け部２１が形成してある。この受け部２１は、その内径が軸Ｓの外径より若干大きくなるように形成される。なお、本実施形態のすべり軸受は、合成樹脂製のすべり軸受部２の自己潤滑性を利用したオイルレスベアリングである。
【００１６】
このすべり軸受部２は、上端面２ａに上方に向けて突設した突起部４を蓋部３にて下方に圧接した状態で固定するもので、以下に説明する。
【００１７】
すべり軸受部２の上端面２ａに突設する突起部４は、すべり軸受部２を軸受嵌入凹部１１に嵌入した際に突起部４の上端部４ａ軸受台１の上端面１ａよりも上方に位置するように形成される。本実施形態の突起部４は、軸受台１の上端面１ａから０．３ｍｍ程突出するように形成される。
【００１８】
一方、蓋部３は平板状をしたもので、軸受嵌入凹部１１の左右方向（軸方向と直交し且つ水平となる方向）の長さよりも長く形成してあり、左右方向の両側端部付近には固着具挿通孔３１が穿設してある。また、前記固着具挿通孔３１に対応する軸受台１の上端面１ａには固着孔１３が螺設してある。
【００１９】
すべり軸受部２の軸受台１への固定は、まずすべり軸受部２を軸受台１の軸毛嵌入凹部１１に上方より嵌入して位置決め部１２に当接させて位置決めする。そして、平板状の蓋部３を上方に配置して蓋部３の固着具挿通孔３１に上方より固着具５を挿通して軸受台１の上端面１ａに設けた固着孔１３に螺着するのであるが、このとき、すべり軸受部２の上端面２ａに設けた突起部４が軸受台１の上端面１ａより上方に位置しているため、平板状の蓋部３が軸受台１の上端面１ａに取付けられると突起部４が弾性変形のみならず塑性変形して潰れ、これによって軸受台１と蓋部３とですべり軸受部２が確実に強固に挟持固定される。
【００２０】
また本実施形態では、この突起部４を軸方向に平行に二状設けてある。この二条の突起部４は、平面視においてすべり軸受部２の受け部２１が形成された部分の両側にそれぞれ設けてある。これによって、受け部２１の変形を低減することができて軸Ｓの回転効率の低下を防止できると共に、左右両側に挟持固定力が得られるため安定して固定することが可能となる。
【００２１】
以上のような構成によれば、台形状をした軸受嵌入凹部１１を形成したアルミダイカスト製の軸受台１及び、この軸受嵌入凹部１１と同様の形状をしたすべり軸受部２を用いてすべり軸受を構成したことで、軸受台１とすべり軸受部２との嵌合部（即ちすべり軸受部２の外面及び軸受台１の軸受嵌入凹部１１の内面）を曲面ではなく平面とすることができて、寸法測定及び寸法管理精度が向上するものである。
【００２２】
次に、図３及び図４に基づいて他の実施形態について説明する。このすべり軸受は、粉塵が空気中を舞う悪環境にて使用可能とすべくシール（又はフィルター）を配設したものである。
【００２３】
図３に示すように、すべり軸受部２の軸方向の両端部において、受け部２１に外側方に開口する凹部２３を内面全周に亘って設け、この凹部２３に軸Ｓに密着するようにポリエステル製フィルムの防塵用フィルター２４を設けるものである。凹部２３は、本実施形態では図４に示すように軸方向視において正方形状に形成してあるが、特に限定されない。
【００２４】
このようにすることで、すべり軸受の受け部２１に異物が混入することがなくなり、長期にわたって安定して軸Ｓを保持することが可能となる。
【００２５】
【発明の効果】
上記のように本発明の請求項１記載の発明にあっては、軸受台に上方に開口する軸受嵌入凹部を形成し、軸が挿通される受け部を形成したすべり軸受部を前記軸受嵌入凹部に嵌入すると共に、前記軸受嵌入凹部に嵌入されたすべり軸受部を蓋部にて上方より固定するすべり軸受において、軸受嵌入凹部及びすべり軸受部を軸方向視において多角形状に形成したので、軸受台とすべり軸受部との嵌合部（即ちすべり軸受部の外面及び軸受台の軸受嵌入凹部の内面）を曲面ではなく平面とすることができて、寸法測定及び寸法管理精度が向上するものである。
【００２６】
また請求項２記載の発明にあっては、上記請求項１記載の発明の効果に加えて、すべり軸受部の上端部に蓋部にて下方に圧接される突起部を平面視において軸を避けた位置に設けたので、軸受台と蓋部とですべり軸受部を確実に強固に挟持固定することができる。
【００２７】
また請求項３記載の発明にあっては、上記請求項２記載の発明の効果に加えて、突起部を線状に略平行に複数条設けたので、受け部の変形を低減することができて軸の回転効率の低下を防止できると共に、左右両側に挟持固定力が得られるため安定して固定することが可能となる。
【００２８】
また請求項４記載の発明にあっては、上記請求項１乃至３記載の発明の効果に加えて、すべり軸受部の受け部の軸方向両側端部に全周に亘って側方に開口する凹部を形成し、前記凹部に軸と密着する防塵用フィルムを設けたので、すべり軸受の受け部に異物が混入することがなくなり、長期にわたって安定して軸を保持することが可能となる。
【図面の簡単な説明】
【図１】本発明の一実施形態のすべり軸受の分解斜視図である。
【図２】同上の断面図である。
【図３】本発明の他の実施形態のすべり軸受の分解斜視図である。
【図４】同上の断面図である。
【図５】従来例の分解斜視図である。
【符号の説明】
１　　軸受台
１１　軸受嵌入凹部
２　　すべり軸受部
２１　受け部
３　　蓋部
Ｓ　　軸
【図１】
2004028148.tif 000003
【図２】
2004028148.tif 000004
【図３】
2004028148.tif 000005
【図４】
2004028148.tif 000006
【図５】
2004028148.tif 000007